(57)【要約】【課題】送風性能の高い空気調和機の室内機を提供する。【解決手段】クロスフローファンの送風路を構成するスタビライザ３の舌部１４の先端を略円弧に形成すると共に、舌部先端には前記略円弧を概２等分する径方向に対して垂直な方向に溝１５を設け、溝１５はクロスフローファン長手方向の前記吹出し口からの吹出し風の風速の遅い領域以外の早い領域に凹部と凸部を繰り返すように形成した構成としてある。これによって、クロスフローファンから出た風の一部がスタビライザ３に衝突して再びクロスフローファンに戻る際の風の流れが良くなるとともに、溝１５を設けたことによるエネルギーの損失の方が大きい低風速部分には溝１５がないので、送風性能を向上させて、ファンモータ入力を低減、すなわち、送風性能の高い空気調和機の室内機とすることができる。【選択図】図３
2014095496.tif 000002
【特許請求の範囲】
【請求項１】
室内熱交換器と、クロスフローファンと、スタビライザと、リアガイダと、風が吹出される吹出し口を備え、前記スタビライザの舌部先端は略円弧に形成すると共に、前記舌部先端には前記略円弧を概２等分する径方向に対して垂直な方向に溝を設け、前記溝はクロスフローファン長手方向の前記吹出し口からの吹出し風の風速の速い領域と遅い領域のうち早い領域にのみ凹部と凸部を繰り返すように形成した空気調和機の室内機。
【請求項２】
室内熱交換器と、クロスフローファンと、スタビライザと、リアガイダと、風が吹出される吹出し口を備え、前記スタビライザの舌部先端は略円弧に形成すると共に、前記スタビライザには前記略円弧を概２等分する径方向に対して垂直な方向に溝を設け、前記溝はクロスフローファン長手方向に凹部と凸部を繰り返すように形成し、かつ、前記凹部と前記凸部は、前記吹出し口からの吹出し風の風速の早い領域と遅い領域とでは異なる構成とした空気調和機の室内機。
【請求項３】
クロスフローファンの長手方向中央部を風速の早い領域とし、同クロスフローファンの側壁部分が風速の遅い領域となる請求項１または２記載の空気調和機の室内機。
【請求項４】
クロスフローファンの長手方向に繰り返される溝の底面形状を平面とした請求項１〜３のいずれか１項に記載の空気調和機の室内機。
【請求項５】
クロスフローファンの長手方向に設けた凹部と凸部は、前記凹部の幅Ａを凸部の幅Ｂ以下とした請求項１または３に記載の空気調和機の室内機。
【請求項６】
クロスフローファンの長手方向に設けた凹部の幅Ａと凸部の幅Ｂは、凹部の幅Ａ及び凸部の幅Ｂともクロスフローファンの長手方向に亘って全て等しい形状とした請求項１または３に記載の空気調和機の室内機。
【請求項７】
クロスフローファンの長手方向に凹部と凸部を形成する溝の深さＣは、クロスフローファンの長手方向において全て等しい深さとした請求項１または３に記載の空気調和機の室内機。
【請求項８】
凸部と凹部の間隔を、吹出し口からの風の風速の早い領域と遅い領域とでは異なる構成とした請求項２または３に記載の空気調和機の室内機。
【請求項９】
凸部と凹部を形成する溝の深さを、吹出し口からの風速の早い領域と遅い領域とでは異なる構成とした請求項２、３または８に記載の空気調和機の室内機。
【発明の詳細な説明】
【技術分野】
【０００１】
本発明は空気調和機の室内機に関するものである。
【背景技術】
【０００２】
一般に空気調和機の室内機は部屋に設置されるため静音化構成が採用されている（例えば、特許文献１参照）。
【０００３】
図６は特許文献１に記載されている空気調和機の室内機である。この室内機は前面グリル５１と、エアフィルタ５２と、室内熱交換器５３と、クロスフローファン５４と、水受け５５と、スタビライザ５６と、左右羽根５７と、上下羽根５８と、リアガイダ６１を備えている。クロスフローファン５４が回転することにより流れが生じ、前面グリル５１からエアフィルタ５２を介して吸い込んだ空気が室内熱交換器５３において冷媒との熱交換を行った後、スタビライザ５６とリアガイダ６１により形成された送風路を通過し左右羽根５７、上下羽根５８を横切り吹出し口６０から室内機が設置された室内へ風を吹出す。
【０００４】
ここでスタビライザ５６は、クロスフローファン５４に平行で、このクロスフローファン５４に対向する面のクロスフローファン５４の軸と直交する方向の断面形状がクロスフローファン５４側に突出した円弧形状をしていて、またクロスフローファン５４の軸と平行な面で切断した断面が矩形の凸部と凹部を交互に繰り返した形状となっている。そのため、スタビライザ５６からクロスフローファン５４に再び戻る循環流は、矩形の凸部と凹部に対応した異なる流路を通ることとなり、異なる流路を通った風がそれぞれ断続的に時間差をもってクロスフローファン５４の羽根を横切るので翼ピッチ音の周波数が分散し、聴覚上耳障りな翼ピッチ音を小さくすることが可能となる。
【先行技術文献】
【特許文献】
【０００５】
【特許文献１】特公平７−５２０１６号公報
【発明の概要】
【発明が解決しようとする課題】
【０００６】
しかしながら前記従来の室内機の構成では、スタビライザ５６のクロスフローファン対向面長手方向に設けた凸部と凹部を繰り返す形状が、凸部での風の流れと凹部での風の流れを異なる流れとし、風がスタビライザ５６に到達してからクロスフローファン５４の羽根に到達するまでの時間に時間差を生じさせるために設けたもので、騒音値を下げることは出来るものの、送風性能向上効果（送風用ファンモータの入力低減効果）を得ることはできないという課題を残していた。
【０００７】
本発明はこのような点に鑑みてなしたもので、送風性能の高い空気調和機の室内機を提供するものである。
【課題を解決するための手段】
【０００８】
前記従来の課題を解決するために、本発明の空気調和機の室内機は、室内熱交換器と、クロスフローファンと、スタビライザと、リアガイダと、風が吹出される吹出し口を備え、前記スタビライザの舌部先端は略円弧に形成すると共に、舌部先端には略円弧を概２等分する径方向に対して垂直な方向に溝を設け、前記溝はクロスフローファン長手方向の前記吹出し口からの吹出し風の風速の速い領域と遅い領域のうち早い領域にのみ凹部と凸部を繰り返すように形成した構成としてある。
【０００９】
これによって、クロスフローファンから出た風の風速が速い部分ではスタビライザに衝突して再びクロスフローファンに戻る際の風の流れが良くなるので、送風性能を向上させて、ファンモータ入力を低減、すなわち、送風性能の高い空気調和機の室内機とすることができる。すなわち、溝を設けた舌部の凹部では、空気が、空気自身の粘性と溝の壁部分の抵抗によって溝の中での流れが悪くなり、よどみ領域を形成し、そのよどみ領域に溜まった空気が、スタビライザに向かって流れてくる風に対してエアクッションのような緩衝の役割を果たすようになる。そのため、舌部に溝が無い場合には風は固体（樹脂または金属など）でできたスタビライザへの衝突時に、その勢いで剥離が生じて流れに乱れが生じるのに対し、この発明のように溝を設けた場合は凹部のよどみ領域に溜まった空気によって衝突時のエネルギーが緩和され、剥離を起こすことなく円滑に流れて還流として再びクロスフローファンに至る。一方、吹出し口からの風の風速が遅く、風がスタビライザに衝突する際のエネルギーが小さい例えば側壁部分では、溝を設けて空気のよどみ領域を設けると、エネルギーの損失の方が大きくなるため、ここには溝は設けていない。これによって送風性能を向上させることが可能となり送風用ファンモータの入力を低減することが可能となるので省エネを促進できる。そして、これら両者の相乗作用によって、クロスフローファンから出た風の一部がスタビライザに衝突して再びクロスフローファンに戻る際の風の流れが良くなるので、送風性能を向上させて、ファンモータ入力を低減して省エネ化が促進できる。
【発明の効果】
【００１０】
本発明の空気調和機の室内機は、クロスフローファンから出た風の一部がスタビライザに衝突して再びクロスフローファンに戻る際の風の流れが良くなるので、送風性能を向上させて、ファンモータ入力を低減、すなわち、送風性能が高く省エネ性の高い空気調和機の室内機とすることができる。
【図面の簡単な説明】
【００１１】
【図１】本発明の実施の形態１における空気調和機の室内機を示す断面図
【図２】同空気調和機の室内機の外観斜視図
【図３】同空気調和機の室内機のスタビライザを示す斜視図
【図４】同空気調和機の室内機のスタビライザの断面図
【図５】本発明の実施の形態２における空気調和機の室内機のスタビライザを示す斜視図
【図６】従来の空気調和機の室内機を示す断面図
【発明を実施するための形態】
【００１２】
第１の発明は、室内熱交換器と、クロスフローファンと、スタビライザと、リアガイダと、風が吹出される吹出し口を備え、前記スタビライザの舌部先端は略円弧に形成すると共に、舌部先端には略円弧を概２等分する径方向に対して垂直な方向に溝を設け、前記溝はクロスフローファン長手方向の前記吹出し口からの吹出し風の風速の速い領域と遅い領域のうち早い領域にのみ凹部と凸部を繰り返すように形成した構成としてある。
【００１３】
これにより、まずスタビライザに設けた溝に空気が自身の粘性と溝の壁部分の抵抗とによって溜まり、この溝に溜まった空気が、前記クロスフローファンから流れてくる風がスタビライザに衝突する際のエネルギーを緩和させるので、剥離による風の乱れを無くして円滑な流れをつくることができる。その結果、送風性能を向上させることが可能となり、送風用ファンモータの入力を低減することができて省エネを促進できる。加えて、吹出し口からの風の風速が遅く、風がスタビライザに衝突する際のエネルギーが小さくなる例えば側壁部分では、溝を設けて空気のよどみ領域を設けると、エネルギーの損失の方が大きくなるため、ここには溝は設けていない。これによって送風性能を向上させることが可能
となり送風用ファンモータの入力を低減することが可能となるので省エネを促進できる。そしてこれらの相乗作用によって送風性能を向上させ、送風用ファンモータの入力を低減して省エネ化が促進できる。
【００１４】
第２の発明は、室内熱交換器と、クロスフローファンと、スタビライザと、リアガイダと、風が吹出される吹出し口を備え、前記スタビライザの舌部先端は略円弧に形成すると共に、前記舌部先端には略円弧を概２等分する径方向に対して垂直な方向に溝を設け、前記溝はクロスフローファン長手方向に凹部と凸部を繰り返すように形成し、かつ、前記凹部と前記凸部は、前記吹出し口からの吹出し風の風速の早い領域と遅い領域とで異なる構成としてある。
【００１５】
これにより、前記第１の発明と同様、風速の早い部分ではスタビライザに衝突する際のエネルギーを緩和させるので、剥離による風の乱れを無くして円滑な流れをつくることができ、送風性能を向上させることができる。そして、風速の遅い領域においても溝形状や寸法を最適化することにより、当該溝を設けることによって生じる空気のよどみ領域によるエネルギー損失を極小化し風の剥離防止効果の方を高めて送風性能を向上させ、送風用ファンモータの入力を低減して省エネ化が促進できる。
【００１６】
第３の発明は、第１または第２の発明において、クロスフローファンの長手方向中央部を風速の早い領域とし、同クロスフローファンの側壁部分が風速の遅い領域となるものである。
【００１７】
これにより、前記第１、第２発明と同様、送風性能を向上させて、ファンモータ入力を低減することが可能となる。
【００１８】
第４の発明は、第１〜第３の発明において、クロスフローファンの長手方向に繰り返される溝の底面形状を平面とした構成としてある。
【００１９】
これにより、よどみ領域を舌部近傍にとどめ、そのよどみ領域を保持することが容易となり、送風性能をより改善することができる。
【００２０】
第５の発明は、第１または第３の発明において、クロスフローファンの長手方向に設けた凹部と凸部は、前記凹部の幅Ａを凸部の幅Ｂ以下とした構成としてある。
【００２１】
これにより、凹部による流れ抵抗の増加を抑えながら舌部近傍によどみ領域を形成しやすくなり、エアクッションの作用を高めスタビライザの舌部へ衝突する流れをより円滑に下流に流すことができて送風性能をより改善することができる。
【００２２】
第６の発明は、第１または第３の発明において、クロスフローファンの長手方向に設けた凹部の幅Ａと凸部の幅Ｂは、凹部の幅Ａ及び凸部の幅Ｂともクロスフローファンの長手方向に亘って全て等しい形状とした構成としてある。
【００２３】
これにより、クロスフローファン長手方向の凹凸構成部分の速度分布がほぼ一様な流れとなって、送風性能を更に改善することができる。
【００２４】
第７の発明は、第１または第３の発明において、クロスフローファンの長手方向に凹部と凸部を形成する溝の深さＣは、クロスフローファンの長手方向において全て等しい深さとした構成としてある。
【００２５】
これにより、クロスフローファン長手方向の凹凸構成部全域においてほぼ同じ大きさの
よどみ領域を形成することができ、送風性能の一段の改善が可能となる。
【００２６】
第８の発明は、特に、第２または第３の発明において、凸部と凹部の間隔を、吹出し口からの風速の早い領域と遅い領域とでは異なる構成としてある。
【００２７】
これにより、風速の遅い例えば側壁近傍部分と、風速の速いそれ以外の例えば中央部分とで、溝の最適寸法や最適形状を変えて送風性能をより高め、送風用ファンモータの入力を低減することが可能となり、更なる省エネ化が促進できる。
【００２８】
第９の発明は、特に、第２、第３または第８の発明において、凸部と凹部を形成する溝の深さを、吹出し口からの風速の早い領域と遅い領域とでは異なる構成としてある。
【００２９】
これによって、風速の遅い例えば側壁近傍部分と、風速の速いそれ以外の例えば中央部分とで、溝の最適寸法や最適形状を変えて送風性能をより高め、送風用ファンモータの入力を低減することが可能となり、更なる省エネ化が促進できる。
【００３０】
以下、本発明の実施の形態について、図面を参照しながら説明する。なお、この実施の形態によって本発明が限定されるものではない。
【００３１】
（実施の形態１）
図１は本発明の実施の形態１における空気調和機の室内機を示す断面図、図２は同空気調和機の室内機の外観斜視図である。
【００３２】
図１、図２において、室内機は、室内熱交換器１と、クロスフローファン２と、スタビライザ３と、リアガイダ４と、左右羽根５と、上羽根６と、下羽根７と、エアフィルタ８を有している。そして、クロスフローファン２が回転することによって前面吸込み口９と上面吸込み口１０より空気を吸い込み、室内熱交換器１において冷媒との熱交換を行った後、スタビライザ３とリアガイダ４によって形成された送風路を通過し吹出し口１１より室内機１３が設置されている室内へ空気を吹出す。なお、図２において示す１２は室内機の吹出し口１１における左右の側壁である。
【００３３】
図３は上記空気調和機の室内機のスタビライザ３を示す斜視図、図４は同スタビライザ３の断面図である。
【００３４】
図３、図４において、スタビライザ３の舌部１４先端は略円弧に形成してあり、前記略円弧を概２等分する径方向に対して垂直な方向に溝１５を設けて、断面がクロスフローファン２長手方向に凹部と凸部を繰り返すような形状としてある。
【００３５】
この様な舌部構成のスタビライザ３を有する空気調和機の室内機は、クロスフローファン２が回転することにより空気調和機の室内機には上記したような空気の流れが発生するが、スタビライザ３へ衝突する風の流れが以下のようになる。
【００３６】
すなわち、溝１５の幅と深さが十分に小さい場合、溝１５を設けて形成した凹部では、空気が、空気自身の粘性と溝１５の壁部分の抵抗によって溝１５の中での流れが悪くなって、よどみ領域を形成し、そしてそのよどみ領域に溜まった空気が、スタビライザに向かって流れてくる風に対してエアクッションのような緩衝の役割を果たすようになる。そのため、舌部１４に溝１５が無い場合には風は固体（樹脂または金属など）でできたスタビライザ３への衝突時に、その勢いで剥離が生じて流れが乱れるのに対し、溝１５を設けたことでよどみ領域に溜まった空気によって衝突時のエネルギーが緩和され、剥離を起こすことなく円滑に流れて還流として再びクロスフローファン２に至る。これによって、クロ
スフローファン２から出た風の一部がスタビライザ３に衝突して再びクロスフローファン２に戻る際の風の流れが良くなり、送風性能が向上する。
【００３７】
一方、スタビライザ３に衝突する流れの中でも、吹出し口１１の側壁１２近傍部分を流れる風は側壁１２の抵抗の影響で風速が遅く、風がスタビライザに衝突する際のエネルギーが小さいため、この部分に前記溝１５を設けると、空気が溜まってよどみ領域を形成した部分に風が衝突する際のエネルギー損失の方が、衝突後の剥離による流れの乱れをなくした場合の効果よりも大きくなる。そのため、図３に示すようにスタビライザ３の吹出し口１１の側壁１２近傍部分には溝１５を設けていない。これによって、風速が遅い側壁近傍に溝１５を設けたことによって生じる損失をなくすることができる。すなわち、スタビライザ３のクロスフローファン２対向面長手方向全てにおいて凹部と凸部を繰り返すように設けた場合に比べ、送風性能が向上し、ファンモータ入力も低減することが可能となり、省エネ化が促進できる。
【００３８】
そして、この室内機は前記両者の作用が組み合わさって、クロスフローファンから出た風の一部がスタビライザに衝突して再びクロスフローファンに戻る際の風の流れが良くなるので、送風性能を向上させて、ファンモータ入力を低減することが可能となる。
【００３９】
ここで、室内機１３の構成上、側壁１２近傍の方が中央部よりも風速が速い場合は、逆に、側壁１２近傍にのみ溝１５を設けて、中央には設けないという構成にすることにより、前記と同様の効果が得られる。すなわち、吹出し口１１からの風の風速が速い部分には溝１５を設け、風速の遅い部分には溝１５を設けない構成とすることによって、前記した効果が得られるものである。
【００４０】
なお、スタビライザ３の長手方向で風速が早くなる吹出し口１１の側壁１２近傍というのは次のような範囲を言う。例えば、クロスフローファン２は、長手方向に複数（例えば８ないし９）の連と呼ばれる分割部品の組合せで成り立っていて（図示せず）、その連の左右それぞれ１個分の長さを指し、この範囲には溝を設けない。この他に、スタビライザ３の長手方向の長さの１０〜２０％の長さを指し、この範囲には溝を設けない。
【００４１】
また、この実施の形態及び以下に述べる実施の形態２においては、前記舌部１４に設けた溝１５において、クロスフローファン２長手方向に繰り返される溝１５の底面形状が曲面である場合には、舌部１４近傍に形成されるよどみ領域が保持されにくい。そのためこれら各実施の形態では、前記クロスフローファン２長手方向に繰り返される全ての溝１５の底面形状を平面としてあり、これによりよどみ領域を舌部１４近傍にとどめそのよどみ領域を保持することが容易となり、送風性能をより確実に改善することができる。
【００４２】
更に、前記実施の形態１においては、前記舌部１４に設けた溝１５においてその凹部の幅Ａが大きい場合には流れに対して抵抗となりやすい。そのため、この実施の形態では上記凹部の幅Ａを凸部の幅Ｂ以下としてあり、これにより、抵抗の増加を抑えながら舌部１４近傍によどみ領域をより形成しやすくしている。これによってエアクッションの作用を高めスタビライザ３の舌部１４へ衝突する流れをより円滑に下流に流してやることにより送風性能をより改善することができる。
【００４３】
同様に前記舌部１４に設けた溝１５において、クロスフローファン２長手方向に繰り返される凹部の幅Ａと凸部の幅Ｂがそれぞれ異なっている場合には、クロスフローファン２長手方向に速度分布が異なる流れが生じる。そのため、この実施の形態では上記凹部の幅Ａは全て等しく、かつ凸部の幅Ｂも全て等しい形状としてあり、これにより、クロスフローファン長手方向に速度分布がほぼ一様な流れとなって、送風性能を更に改善することができる。
【００４４】
更に、前記舌部１４に設けた溝１５において、クロスフローファン２長手方向に繰り返される溝１５の深さＣがそれぞれ異なる場合には、舌部１４近傍に形成されるよどみ領域がクロスフローファン２長手方向に異なる厚みをもつこととなる。そのため、この実施の形態では、前記全ての溝１５の深さＣを等しくしてあり、これにより、クロスフローファン２の長手方向にほぼ等しい厚みをもった凹凸の少ないよどみ領域を形成することができ、送風性能の一段の改善が可能となる。
【００４５】
（実施の形態２）
図５は実施の形態２における空気調和機の室内機のスタビライザを示す斜視図である。以下、実施の形態１とは異なる部分の構成と作用効果についてのみ記載する。
【００４６】
図５において、スタビライザ３の舌部１４先端に、クロスフローファン２長手方向に繰り返すように設けられた凹部と凸部は、吹出し口１１から吹出す風の風速が速い部分と遅い部分とで異ならせてある。例えば、この実施の形態では風速が遅くなる側壁１２近傍部分と風速が早くなる中央部分とでは異なる形状・寸法・間隔としてある。
【００４７】
すなわち、溝１５の幅や深さを側壁１２近傍部分の風速の遅い部分とそれ以外の中央部分の風速の早い部分とで寸法を変えたり、必要に応じて溝１５の形状を変更したりしてあり、側壁１２近傍の風速の遅い部分と中央部分の風速の早い部分のそれぞれに応じた最適な溝１５の寸法、形状、間隔とすることで送風性能をより高め、送風用ファンモータの入力を低減することを可能とし省エネ化を促進できる。
【００４８】
具体的には、図５において吹出し口１１の側壁１２近傍の風速の遅い部分の溝１５の幅Ｄは、中央部の風速の早い部分の溝１５の幅Ａよりも狭くなっている。これは、風速の遅い側壁１２近傍では溝１５の中のよどみ領域に溜まった空気が、スタビライザ３へ向かって衝突する風のエネルギーを緩和して衝突後の剥離による流れの乱れを抑える効果が、中央部ほど大きくないためである。
【００４９】
また、図５の吹出し口１１の側壁１２近傍の風速の遅い部分の凸部Ｅの寸法は、中央部の風速の早い部分の凸部Ｂの寸法に比べて長い方が同様の効果が得られる。
【００５０】
さらに、図５の吹出し口１１の側壁１２近傍の風速の遅い部分の凸部Ｅの寸法を、中央部の風速の早い部分の凸部Ｂの寸法よりも長くして、吹出し口１１の側壁１２近傍の風速の遅い部分の溝１５の幅Ｄの寸法と、中央部の風速の早い部分の溝１５の幅Ａの寸法を同じにする方法もある。
【００５１】
なお、吹出し口１１の側壁１２近傍の風速の遅い部分の溝１５の深さを中央部分の風速の早い部分での溝１５の深さよりも浅くすることでも、同様の効果が得られる。
【００５２】
一方、室内機の構成上、側壁１２近傍の方が中央部よりも風速が速い場合は、逆に、側壁１２近傍の溝１５の幅を小さく深さを浅くして、中央部の溝１５の幅を大きく深さを深くする構成とすることにより、前記と同様の効果が得られる。
【産業上の利用可能性】
【００５３】
以上のように、本発明にかかる空気調和機の室内機は、クロスフローファンから出た風の一部がスタビライザに衝突して再びクロスフローファンに戻る際の風の流れが良くなるので、送風性能を向上させて、ファンモータ入力を低減、すなわち、送風性能が高く省エネ性の高い空気調和機の室内機とすることができ、クロスフローファンとスタビライザを有する空気調和機などの送風関連技術ならびに商品、設備、部品に適用できる。
【符号の説明】
【００５４】
１  室内熱交換器
２  クロスフローファン
３  スタビライザ
４  リアガイダ
１１  吹出し口
１３  室内機
１４  舌部
１５  溝
【図１】
2014095496.tif 000003
【図２】
2014095496.tif 000004
【図３】
2014095496.tif 000005
【図４】
2014095496.tif 000006
【図５】
2014095496.tif 000007
【図６】
2014095496.tif 000008